(57)【要約】【課題】  メンテナンス作業を円滑に行うことができる搬送装置を提供する。【解決手段】  搬送装置１は、自動倉庫Ｓ内で物品を搬送する搬送装置１であって、移動可能な移動台車２と、移動台車２に取り付けられた機器１２と、移動台車２に取り付けられ、移動台車２との間で機器１２を収容するメンテナンス空間Ａ２を形成する収容部材１０とを備えている。【選択図】        図１
2005289598.tif 000002
【特許請求の範囲】
【請求項１】
自動倉庫内で物品を搬送する搬送装置であって、
移動可能な移動台車と、
前記移動台車に取り付けられた機器と、
前記移動台車に取り付けられ、該移動台車との間で前記機器を収容するメンテナンス空間を形成する収容部材とを備えたことを特徴とする搬送装置。
【請求項２】
前記メンテナンス空間を温度調整する温調装置を備えたことを特徴とする請求項１記載の搬送装置。
【請求項３】
前記機器は所定温度範囲で駆動可能であり、
前記温調装置は、前記所定温度範囲に応じて温度調整することを特徴とする請求項２記載の搬送装置。
【請求項４】
前記収容部材は断熱材を含むことを特徴とする請求項１〜３のいずれか一項記載の搬送装置
【請求項５】
前記メンテナンス空間の外側の空間は極低温であり、前記メンテナンス空間は常温に維持されることを特徴とする請求項１〜４のいずれか一項記載の搬送装置。
【請求項６】
前記移動台車はスタッカクレーンの一部であることを特徴とする請求項１〜５のいずれか一項記載の搬送装置。
【発明の詳細な説明】
【技術分野】
【０００１】
本発明は自動倉庫内で物品を搬送する搬送装置に関するものである。
【背景技術】
【０００２】
自動倉庫は、物品の格納や在庫管理、あるいは配送管理を自動的に行うものである。自動倉庫内には物品を自動的に搬送する搬送装置が設けられている。下記特許文献１、２には、自動倉庫に設けられた搬送装置の一例が記載されている。
【特許文献１】特開平１１−２６３５９６号公報
【特許文献２】特開２００３−１９２１０６号公報
【発明の開示】
【発明が解決しようとする課題】
【０００３】
ところで自動倉庫を冷凍倉庫に適用した場合、その自動倉庫内に設けられた搬送装置のメンテナンス作業を行おうとすると、倉庫内は極低温であるため、作業者は作業を円滑に行うことが困難になったり、あるいは長時間作業が困難になるなど不都合が生じる。したがって、倉庫内に入って搬送装置のメンテナンス作業を円滑に行うことができるための処置を講じる必要がある。
【０００４】
本発明はこのような事情に鑑みてなされたものであって、メンテナンス作業を円滑に行うことができる搬送装置を提供することを目的とする。
【課題を解決するための手段】
【０００５】
上記の課題を解決するため、本発明の搬送装置は、自動倉庫内で物品を搬送する搬送装置であって、移動可能な移動台車と、前記移動台車に取り付けられた機器と、前記移動台車に取り付けられ、該移動台車との間で前記機器を収容するメンテナンス空間を形成する収容部材とを備えたことを特徴とする。
【０００６】
本発明によれば、搬送装置の移動台車に取り付けられた機器を収容部材で囲み、移動台車と収容部材との間に機器をメンテナンスするためのメンテナンス空間を形成したので、作業者はメンテナンス空間に入って前記機器のメンテナンス作業を行うことができる。そして、自動倉庫内が極低温であってもメンテナンス空間を所定環境に維持することで、作業者はメンテナンス空間内でメンテナンス作業を円滑に行うことができる。
【０００７】
本発明の搬送装置において、前記メンテナンス空間を温度調整する温調装置を備えたことを特徴とする。
【０００８】
本発明によれば、温調装置を使ってメンテナンス空間を所定温度に維持できるので、作業者はメンテナンス空間において快適に作業を行うことができる。
【０００９】
本発明の搬送装置において、前記機器は所定温度範囲で駆動可能であり、前記温調装置は、前記所定温度範囲に応じて温度調整することを特徴とする。
【００１０】
本発明によれば、機器が極低温環境での動作を保証されていない、又は極低温環境では駆動しない場合であっても、温調装置を使ってメンテナンス空間の温度を機器が駆動可能な温度範囲に調整することで、機器を正常に駆動させることができる。したがって、搬送装置の搬送動作を正常に行うことができる。また、メンテナンス時において機器を駆動する場合が考えられるが、メンテナンス空間を機器が駆動可能な温度環境にすることで、メンテナンス時においても機器を正常に駆動することができる。したがって、メンテナンス作業を円滑に行うことができる。
【００１１】
本発明の搬送装置において、前記収容部材は断熱材を含むことを特徴とする。
【００１２】
本発明によれば、メンテナンス空間の外側の空間が極低温空間であっても、メンテナンス空間を所定環境に良好に維持することができる。
【００１３】
本発明の搬送装置において、前記メンテナンス空間の外側の空間は極低温であり、前記メンテナンス空間は常温に維持されることを特徴とする。
【００１４】
本発明によれば、自動倉庫を冷凍倉庫に適用した場合などにおいて、メンテナンス空間の外側の空間が極低温であっても、メンテナンス空間は常温であるので、作業者は常温環境下でメンテナンス作業を円滑に行うことができる。
【００１５】
本発明の搬送装置において、前記移動台車はスタッカクレーンの一部であることを特徴とする。
【００１６】
本発明によれば、搬送装置としてスタッカクレーンを用いることにより、自動倉庫内において物品を所定位置に円滑に搬送することができる。
【発明の効果】
【００１７】
本発明によれば、倉庫内において作業者は搬送装置のメンテナンス作業を円滑に行うことができる。
【発明を実施するための最良の形態】
【００１８】
以下、本発明の搬送装置について図面を参照しながら説明する。図１は本発明の搬送装置１を備えた自動倉庫Ｓの内部を模式的に示す斜視図、図２は搬送装置１の側面図である。以下の説明において、水平面内における所定方向をＸ軸方向、水平面内においてＸ軸方向と直交する方向をＹ軸方向、Ｘ軸方向及びＹ軸方向と直交する方向（鉛直方向）をＺ軸方向とする。
【００１９】
図１及び図２において、自動倉庫Ｓは、床面Ｆ上に設置された棚４と、倉庫内において棚４に対して物品を搬送する搬送装置１とを備えている。棚４は、床面Ｆ上において複数段設けられており、これら複数の棚４により格納庫２０が形成されている。搬送装置１の移動領域はＸ軸方向に延びるように設けられており、格納庫２０はＹ軸方向に関して搬送装置１の移動領域の両側のそれぞれに設けられている。
【００２０】
本実施形態における搬送装置１は、スタッカクレーンであって、床面Ｆに設けられ、Ｘ軸方向に延びる床ガイドレール３Ｂと、天井に設けられ、Ｘ軸方向に延びる天井ガイドレール３Ｔと、床ガイドレール３Ｂに案内されつつＸ軸方向に移動可能な移動台車２と、移動台車２上に設けられ、Ｚ軸方向に延びるガイドフレーム８と、ガイドフレーム８に案内されつつ昇降する昇降台７とを備えている。ガイドフレーム８の上端部は、天井ガイドレール３ＴによってＸ軸方向へ案内されるようになっている。移動台車２には、自走するための駆動装置１２、制御基盤１３などの複数の機器が取り付けられている。また、移動台車２のＸ軸方向への移動に伴ってガイドフレーム８及び昇降台７もＸ軸方向に移動する。昇降台７には、Ｙ軸方向に移動するアーム（フォーク）７Ａが設けられている。搬送装置１は、アーム７Ａを複数の棚４のうち所定の棚４にアクセスさせ、その所定の棚４に対して物品を搬入（格納）又はその所定の棚４より物品を搬出する。本実施形態においては、物品はパレット９に載せられて搬送され、アーム７Ａはパレット９を搬送する。アーム７Ａを所定の棚４にアクセスする際には、搬送装置１は、移動台車２をＸ軸方向に移動するとともに昇降台７をＺ軸方向に移動することで、アーム７Ａと所定の棚４とを対向させる。そして、アーム７ＡがY軸方向に移動することで、アーム７Ａは保持したパレット９を所定の棚４に搬入（格納）又はその所定の棚４に格納されているパレット９を搬出する。
【００２１】
また、自動倉庫Ｓは、床面Ｆ上に入庫ステーション５及び出庫ステーション６を備えている。倉庫の外から搬入された物品（パレット９）は入庫ステーション５に一旦置かれた後、搬送装置１によって複数の棚４のうち所定の棚４に搬送（格納）される。また、棚４の物品を倉庫の外に搬出する場合には、搬送装置１はアーム７Ａを使って所定の棚４に格納されている物品（パレット９）を搬出し、出庫ステーション６に置く。出庫ステーション６に置かれた物品は所定の搬送手段により倉庫の外に搬出される。
【００２２】
本実施形態における自動倉庫Ｓは冷凍倉庫に適用されている。自動倉庫Ｓの内部は、例えば−６０℃程度の極低温空間となっている。棚４（格納庫２０）に格納された物品はこの極低温空間に保管され、搬送装置１はこの極低温空間を移動する。
【００２３】
搬送装置１の移動台車２には、収容部材１０が取り付けられている。収容部材１０は、移動台車２との間で、駆動装置１２や制御基盤１３をはじめとする移動台車２に取り付けられた各種機器を収容するメンテナンス空間Ａ２を形成している。収容部材１０には扉１１を取り付けられた出入口１１Ａが形成されており、作業者は出入口１１Ａを介して、メンテナンス空間Ａ２内部とそのメンテナンス空間Ａ２の外部空間Ａ１とを行き来することができる。また扉１１で出入口１１Ａを閉じることにより、メンテナンス空間Ａ２は略密閉される。作業者はメンテナンス空間Ａ２において、前記機器のメンテナンス作業をはじめとする各種作業を行うことができる。
【００２４】
収容部材１０の内部空間であるメンテナンス空間Ａ２は所定温度に維持されている。メンテナンス空間Ａ２はその外部空間Ａ１とは異なる環境（温度）に維持されている。具体的には、収容部材１０の内部（メンテナンス空間Ａ２）には、このメンテナンス空間Ａ２の温度調整を行うための温調装置１４が設けられており、メンテナンス空間Ａ２は、温調装置１４によって常温に維持されている。すなわち、メンテナンス空間Ａ２は常温空間であり、倉庫の内側であってメンテナンス空間Ａ２の外側の空間（収容部材１０の外側の空間）Ａ１は極低温空間となっている。また、本実施形態において、メンテナンス空間Ａ２を囲む収容部材１０は断熱材により形成されている。そのため、外部空間Ａ１とメンテナンス空間Ａ２との間での熱の伝達が低減され、メンテナンス空間Ａ２の環境（温度）を良好に維持することができる。
【００２５】
また、温調装置１４は、メンテナンス空間Ａ２内部に設けられている機器の動作保証温度範囲に応じて、メンテナンス空間Ａ２を温度調整する。こうすることにより、機器は正常に動作可能となる。
【００２６】
上述した搬送装置１の機器（駆動装置１２や制御基盤１３）をメンテナンスするときは、作業者はメンテナンス空間Ａ２に入って作業を行う。メンテナンス空間Ａ２は温調装置１４により所定温度（常温）に調整されているので、作業者はメンテナンス空間Ａ２内で機器のメンテナンス作業を円滑且つ快適に行うことができる。
【００２７】
また、メンテナンス作業時において機器を駆動する場合が考えられるが、メンテナンス空間Ａ２は、機器が駆動可能な温度環境（ここでは常温）に調整されているので、メンテナンス時において機器を正常に駆動することができる。したがって、メンテナンス作業を円滑に行うことができる。
【００２８】
また、外部空間Ａ１が極低温環境であって、機器が極低温環境での動作を保証されていない、又は極低温環境では駆動しない場合であっても、機器は温調装置１４によって温度調整されているメンテナンス空間Ａ２内に設けられているので、メンテナンス作業時及び搬送装置１の通常の駆動時においても正常に駆動することができる。
【００２９】
また、倉庫内が極低温空間で場合、作業者は防寒着や手袋などを装着していて動きづらい場合があり、その状態でメンテナンス作業を行うことは作業性を低下させる可能性がある。ところが、本実施形態においては、メンテナンス空間Ａ２は常温空間であるので、作業者はメンテナンス空間Ａ２内で作業を行うとき、軽装状態で作業を行うことができるので、作業性を向上することができる。
【００３０】
また、作業者は、メンテナンス空間Ａ２以外の空間、具体的には極低温環境である外部空間Ａ１において所定の作業を行う場合もあるが、常温環境に維持されたメンテナンス空間Ａ２を設けたことにより、外部空間Ａ１での作業が長時間に及ぶ場合、作業を一旦中断し、メンテナンス空間Ａ２で休息することができる。メンテナンス空間Ａ２は温調装置１４によって所定温度（常温）に維持されているので、極低温空間（外部空間Ａ１）で作業したことにより体が冷えた作業者は、メンテナンス空間Ａ２で休息することで、暖を採ることができる。したがって、作業者は、作業を中断して、暖を採るために自動倉庫Ｓの外まで行かなくてもよいので、作業効率を向上することができる。特に大型の倉庫の場合、作業位置と倉庫の出入口との距離が長い場合が多いので、冷凍倉庫内に常温空間を設けておくことで、作業効率を効果的に向上することができる。
【００３１】
また、作業者は、メンテナンス空間Ａ２において、メンテナンス空間Ａ２内の機器のメンテナンス作業や暖を採るほかに、棚４や搬送装置１などから取り外した小部品をメンテナンス空間Ａ２に持ち込んでメンテナンス等の作業を行うことができる。したがって、作業者は、極低温空間での作業を回避でき、常温空間において作業を行うことができる。
【００３２】
なお、本実施形態においては、自動倉庫Ｓを冷凍倉庫に適用した場合を例にして説明したが、もちろん冷凍倉庫以外の倉庫にも適用可能である。また、メンテナンス空間Ａ２は常温空間でなくてもよく、外部空間Ａ１よりも高い温度であれば作業者の作業効率を向上することができる。
【００３３】
また、本実施形態においては、収容部材１０によって形成されたメンテナンス空間Ａ２は１つであるが、もちろん、搬送装置１の任意の複数箇所にメンテナンス空間Ａ２を形成することが可能である。また、メンテナンス空間Ａ２を複数設けた場合、複数のメンテナンス空間Ａ２のそれぞれを同じ温度（環境）に設定してもよいし、互いに異なる温度に設定してもよい。
【図面の簡単な説明】
【００３４】
【図１】本発明の搬送装置の一実施形態を示す概略斜視図である。
【図２】本発明の搬送装置の一実施形態を示す側面図である。
【符号の説明】
【００３５】
１…搬送装置、２…移動台車、４…棚、１０…収容部材、１２…駆動装置（機器）、１３…制御基盤（機器）、１４…温調装置、２０…格納庫、Ａ１…外部空間、Ａ２…メンテナンス空間、Ｆ…床面（所定面）、Ｓ…自動倉庫
【図１】
2005289598.tif 000003
【図２】
2005289598.tif 000004